(57)【要約】【課題】  原稿画像の読取り処理についての設定を、操作部を用いての入力操作を行うことなく、容易な操作にて行えるようにする。【解決手段】  画像読取装置は、原稿の載置位置が複数箇所に設定されている原稿台１１０と、原稿台１１０に載置された原稿の画像を読取って画像情報に変換し、かつこの処理のための複数の処理モードを有する画像読取手段と、各載置位置と各処理モードとの対応関係を記憶している記憶手段と、原稿が複数箇所の載置位置のうちのいずれに載置されたかを検出する検出手段と、検出手段による検出結果と記憶手段に記憶されている前記対応関係とに基づいて、原稿の載置位置に対応した処理モードによる処理が行われるように前記読取手段を制御する制御手段とを備える。【選択図】  図１
2005348171.tif 000002
【特許請求の範囲】
【請求項１】
原稿の載置位置が複数箇所に設定されている原稿台と、
前記原稿台に載置された原稿の画像を読取って画像情報に変換する処理を行うとともに、この処理のための複数の処理モードを有している読取手段と、
前記の各載置位置と前記の各処理モードとの対応関係を記憶している記憶手段と、
原稿が複数箇所の前記載置位置のうちのいずれに載置されたかを検出する検出手段と、
前記検出手段による検出結果と前記記憶手段に記憶されている前記対応関係とに基づいて、原稿の載置位置に対応した処理モードによる処理が行われるように前記読取手段を制御する制御手段とを備えていることを特徴とする画像読取装置。
【請求項２】
原稿の載置位置が複数箇所に設定されている原稿台と、
前記原稿台に載置された原稿の画像を読取って画像情報に変換する読取手段と、
前記画像情報に対して所定の画像処理を行うとともに、この処理のための複数の処理モードを有している画像処理手段と、
前記の各載置位置と前記の各処理モードとの対応関係を記憶している記憶手段と、
原稿が複数箇所の前記載置位置のうちのいずれに載置されたかを検出する検出手段と、
前記検出手段による検出結果と前記記憶手段に記憶されている前記対応関係とに基づいて、原稿の載置位置に対応した処理モードによる処理が行われるように前記画像処理手段を制御する制御手段とを備えていることを特徴とする画像読取装置。
【請求項３】
前記処理モードは、前記画像情報を所定のデータ形式に変換する処理を含んでいることを特徴とする請求項２に記載の画像読取装置。
【請求項４】
手動操作による入力操作が可能な操作部を備え、前記操作部に向かった場合の、原稿台の最も手前に位置する載置位置に対して、複数色の原稿画像に対応した処理モードが設定されていることを特徴とする請求項１または２に記載の画像読取装置。
【請求項５】
前記読取り手段は、原稿画像の読取りを行うために読取開始位置から副走査方向に移動する移動部を有し、
読取手段の前記読取開始位置から最も遠い載置位置に対して、単数色の原稿画像に対応した処理モードが設定されていることを特徴とする請求項１または２に記載の画像読取装置。
【請求項６】
前記読取り手段は、原稿画像の読取りを行うために読取開始位置から副走査方向に移動する移動部を有し、
読取手段の前記読取開始位置から最も近い載置位置に対して、複数色の画像に対応した処理モードが設定されていることを特徴とする請求項１または２に記載の画像読取装置。
【請求項７】
前記読取り手段は、原稿画像の読取りを行うために読取開始位置から副走査方向に移動する移動部を有するとともに、原稿の画像情報を得るための原稿の本読取り動作に先立って、原稿の前読取り動作を行う自動処理モードでの処理が可能であり、
読取手段の前記読取開始位置から最も近い載置位置に対して、前記自動処理モードが設定されていることを特徴とする請求項１に記載の画像読取装置。
【請求項８】
手動操作による入力操作が可能な操作部を備え、前記制御手段は、前記操作部からの入力に基づいて、前記記憶手段に記憶されている前記の各載置位置と前記の各処理モードとの対応関係を変更することを特徴とする請求項１または２に記載の画像読取装置。
【請求項９】
前記検出手段は原稿台上における原稿の有無を検出するセンサを備え、このセンサが前記載置位置に対してそれぞれ設けられていることを特徴とする請求項１または２に記載の画像読取装置。
【請求項１０】
請求項１から９の何れか１項に記載の画像読取装置を備えるとともに、この画像情報読取装置から出力された画像情報に基づいて画像をシート上に形成する画像形成手段とを備えていることを特徴とする画像形成装置。
【請求項１１】
前記画像形成手段は、画像をシート上に形成する処理のための複数の処理モードを有しており、
前記の各載置位置と画像形成手段における前記の各処理モードとの対応関係を記憶している記憶手段と、
前記検出手段による検出結果と前記記憶手段に記憶されている前記対応関係とに基づいて、原稿の載置位置に対応した処理モードによる処理が行われるように前記画像処理手段を制御する制御手段とを備えていることを特徴とする請求項１０に記載の画像読取装置。
【請求項１２】
複数種類のシートを供給可能なシート供給手段を備え、
前記画像形成手段は前記複数種類のシート上に画像を形成可能であり、
前記記憶手段は、さらに前記の各載置位置と前記の各シートとの対応関係を記憶しており、
前記制御手段は、前記検出手段による検出結果と前記記憶手段に記憶されている前記対応関係とに基づいて、原稿の載置位置に対応したシートが前記画像形成手段に供給されるように前記シート供給手段を制御することを特徴とする請求項１１に記載の画像読取装置。
【請求項１３】
前記画像形成手段は前記複数サイズのシート上に画像を形成可能であり、
前記検出手段は原稿のサイズを検出する機能を兼ね備え、
複数サイズのシートを供給可能なシート供給手段と、
前記検出手段による原稿サイズの検出結果に基づいて、原稿サイズに対応するサイズのシートが前記画像形成手段に供給されるように前記シート供給手段を制御する制御手段とを備えていることを特徴とする請求項１０に記載の画像読取装置。
【請求項１４】
前記操作部に入力された内容に基づいて、原稿の載置位置に対して設定された処理モードにさらに他の処理を追加指示可能であることを特徴とする請求項１０に記載の画像形成装置。
【発明の詳細な説明】
【技術分野】
【０００１】
本発明は、原稿の画像を読取る画像読取装置、および読取った画像をシートに形成する画像形成装置に関する。
【背景技術】
【０００２】
近年、画像読取装置および画像形成装置を組み合わせた、複写機などの装置を用いて原稿の複製物を容易に得ることができるようになっている。これらの装置では、ユーザにて原稿台上に原稿が載置された後、原稿台の下に配置された光学手段が原稿の画像を走査することにより原稿の画像を読取る。また、読取った画像を画像データに変換する。この画像データは、複写機に接続された外部のパソコン等の装置に送られて利用される。または、上記画像形成装置にて原稿の複製物を作成する場合などに利用される。
【０００３】
通常、原稿の画像読取または画像形成といった処理の際、ユーザが、原稿の種類（例えば、カラー画像の原稿であるか白黒画像の原稿であるか等）や変倍率等を選択し、操作部へ選択した内容を入力することにより、原稿に対する所望の処理を行うことができるようになっている。
【０００４】
また、画像読取装置やこれを備えた複写機などにおいては、原稿を原稿台上の何処に載置したらよいかをユーザに示すために、各処理モードを記した基準マーク等を施した基準部材が設けられており、ユーザはその基準部材に合わせて原稿を載置するようになっている。そして、原稿台上の原稿の載置状態（有無やサイズ等）を検出する検出手段が備えられており、誤った処理モードによる複写処理のミスを未然に防ぐ構成となっているものもある。
【０００５】
この場合、原稿台に載置された原稿に対して、各原稿の種類に応じた全ての処理条件を自動的に設定することは不可能なため、白黒やカラーなどの画像処理の設定は、ユーザが、複写処理の度に操作部へ処理モードを入力することにより行われる。
【０００６】
一方、近年ＡＣＳ（自動カラー選択）とよばれ、原稿の種類を判別し自動的に処理モードが設定される機能を有する画像形成装置が開発されている。
【０００７】
また、特許文献１においては、画像形成条件や画像読取条件の一般的な条件をデフォルトとして設定し、操作部の操作が所定時間行われない場合等に、デフォルトの条件に自動的に戻る制御（オートクリア）について開示されている。
【０００８】
また、特許文献２においては、フルカラー、モノカラー、および２色カラーの印刷モードを有するカラー画像形成装置において、２色カラーの印刷モードでは、複数の色から特定の２色を選択して、２種類の色画像データに変換する機能を持つカラー画像形成装置について開示されている。
【発明の開示】
【発明が解決しようとする課題】
【０００９】
しかしながら、上記従来の構成において、原稿の種類を判別し自動的に処理モードが設定される場合には、原稿の状況（カラー部分と白黒の部分の比率）によって、原稿の種類の判別を誤る可能性がある。この場合、所望の処理モードにて、画像読取や画像形成を行うことができない。また、カラー画像をカラーモード以外の処理モードで処理する場合などは、ユーザが手動で処理モードを設定しなければならない。
【００１０】
さらに、特許文献１のようにオートクリアの機能を用いた場合には、同じ処理モードで処理する際に、所定時間が経過してしまったためにデフォルトの条件に自動的に戻った処理モードを再設定しなければならない等の操作が必要となってくる。
【００１１】
さらに、特許文献２のように画像を２種類の色画像データに変換する機能を用いた場合では、フルカラー、モノカラー、および２色カラーの印刷モードの選択は、ユーザにより手動で行われ、ユーザに対して画像形成の操作を十分容易にするものではない。
【００１２】
本発明は、かかる問題に鑑みてなされたものであり、所望する、原稿の画像の種類に応じた画像読取の処理を容易に行うことができる画像読取装置、および画像の種類に応じた画像形成の処理を容易に行うことができる画像形成装置の提供を目的としている。
【特許文献１】特開昭５９−１２９８６８号公報（昭和５９年７月２６日公開）
【特許文献２】特開２０００−３０８４号公報（平成１２年１月７日公開）
【課題を解決するための手段】
【００１３】
本発明の画像読取装置は、原稿の載置位置が複数箇所に設定されている原稿台と、前記原稿台に載置された原稿の画像を読取って画像情報に変換する処理を行うとともに、この処理のための複数の処理モードを有している読取手段と、前記の各載置位置と前記の各処理モードとの対応関係を記憶している記憶手段と、原稿が複数箇所の前記載置位置のうちのいずれに載置されたかを検出する検出手段と、前記検出手段による検出結果と前記記憶手段に記憶されている前記対応関係とに基づいて、原稿の載置位置に対応した処理モードによる処理が行われるように前記読取手段を制御する制御手段とを備えていることを特徴としている。
【００１４】
上記の構成によれば、原稿台の何れかの載置位置に原稿が載置されると、その載置位置が検出手段により検出される。記憶手段には、各載置位置と読取手段における各処理モードとの対応関係が記憶されており、制御手段は、検出手段による検出結果と記憶手段に記憶されている前記対応関係とに基づいて、原稿の載置位置に対応した処理モードによる処理が行われるように読取手段を制御する。したがって、原稿が載置されている載置位置に対応した処理モードにて原稿の画像の読取が行われる。
【００１５】
これにより、原稿の画像の種類に応じた所望の画像読取りの処理を、原稿の載置位置を選択して原稿を載置することにより設定することができる。このように、ユーザは、多様な種類の原稿に適した画像読取りを行うために、原稿を適切な載置位置に載置するだけでよく、手動装置にてキー設定するなどの処理を行う必要が無い。この結果、画像読取りの操作を容易に行うことができる。
【００１６】
また、本発明の画像読取装置は、原稿の載置位置が複数箇所に設定されている原稿台と、前記原稿台に載置された原稿の画像を読取って画像情報に変換する読取手段と、前記画像情報に対して所定の画像処理を行うとともに、この処理のための複数の処理モードを有している画像処理手段と、前記の各載置位置と前記の各処理モードとの対応関係を記憶している記憶手段と、原稿が複数箇所の前記載置位置のうちのいずれに載置されたかを検出する検出手段と、前記検出手段による検出結果と前記記憶手段に記憶されている前記対応関係とに基づいて、原稿の載置位置に対応した処理モードによる処理が行われるように前記画像処理手段を制御する制御手段とを備えていることを特徴としている。
【００１７】
上記の構成によれば、原稿台の何れかの載置位置に原稿が載置されると、その載置位置が検出手段により検出される。記憶手段には、各載置位置と画像処理手段における各処理モードとの対応関係が記憶されており、制御手段は、検出手段による検出結果と記憶手段に記憶されている前記対応関係とに基づいて、原稿の載置位置に対応した処理モードによる処理が行われるように画像処理手段を制御する。したがって、原稿が載置されている載置位置に対応した処理モードにて、読取手段から出力された画像情報に対しての画像処理が行われる。
【００１８】
これにより、原稿の画像の種類に応じた所望の画像処理を、原稿の載置位置を選択して原稿を載置することにより設定することができる。このように、ユーザは、多様な種類の原稿に適した画像処理を行うために、原稿を適切な載置位置に載置するだけでよく、手動装置にてキー設定するなどの処理を行う必要が無い。この結果、画像読取りの操作を容易に行うことができる。
【００１９】
上記の画像読取装置において、前記処理モードは、前記画像情報を所定のデータ形式に変換する処理を含んでいる構成としてもよい。
【００２０】
これにより、原稿画像の種類に応じた載置位置を選択することにより、原稿が読取られて得られた画像情報は、画像の種類に適したデータ形式の画像情報に変換することができる。したがって、ユーザによるキー設定などの処理が行われること無く、多様な種類の画像に適した画像情報の変換を行うことができる。
【００２１】
上記の画像読取装置は、手動操作による入力操作が可能な操作部を備え、前記操作部に向かった場合の、原稿台の最も手前に位置する載置位置に対して、複数色の原稿画像に対応した処理モードが設定されている構成としてもよい。
【００２２】
これにより、フルカラー画像である、例えば写真などのサイズが小さい原稿に対して、原稿台の手前側に置いて画像の読取りを行うことができる。このように、サイズが小さく載置する際に安定しにくい原稿を、載置し易い原稿台の手前の位置に載置する構成であるので、そのような原稿に対する画像の読取り作業が容易となる。
【００２３】
上記の画像読取装置は、手動操作による入力操作が可能な操作部を備え、前記操作部に向かった場合の、原稿台の最も手前に位置する載置位置に対して、複数色の原稿画像に対応した処理モードが設定されている構成としてもよい。
【００２４】
上記の構成によれば、原稿の画像を読取る方向において、上流に位置する載置位置に、画像の読取りに長時間を要する複数色の画像に適応した処理モードを設定することになる。そのため、画像読取りの時間が増大するのを抑制することができる。
【００２５】
上記の画像読取装置において、前記読取り手段は、原稿画像の読取りを行うために読取開始位置から副走査方向に移動する移動部を有し、読取手段の前記読取開始位置から最も遠い載置位置に対して、単数色の原稿画像に対応した処理モードが設定されている構成としてもよい。
【００２６】
上記の構成によれば、原稿の画像を読取る方向において下流に位置する載置位置に、短時間にて画像の読取が可能な単数色の画像に適応した処理モードを設定することになる。そのため、それ以外の載置位置に読取りに長時間を要する複数色の画像に適応した処理モードを設定できる。よって、複数の処理モードの読取り時間を平均化することができ、ユーザの画像読取り作業の負担を軽減することができる。
【００２７】
上記の画像読取装置において、前記読取り手段は、原稿画像の読取りを行うために読取開始位置から副走査方向に移動する移動部を有し、読取手段の前記読取開始位置から最も近い載置位置に対して、複数色の画像に対応した処理モードが設定されている構成としてもよい。
【００２８】
上記の構成によれば、読取手段の読取開始位置から最も近い載置位置に対して、読取りに長時間を要する、複数色の画像に適応した処理モードが設定されるので、画像読取りの時間が増大するのを抑制することができる。
【００２９】
上記の画像読取装置において、前記読取り手段は、原稿画像の読取りを行うために読取開始位置から副走査方向に移動する移動部を有するとともに、原稿の画像情報を得るための原稿の本読取り動作に先立って、原稿の前読取り動作を行う自動処理モードでの処理が可能であり、読取手段の前記読取開始位置から最も近い載置位置に対して、前記自動処理モードが設定されている構成としてもよい。
【００３０】
上記の構成によれば、読取手段の読取開始位置から最も近い載置位置に対して、原稿の前読取り動作を行う自動処理モードが設定される。そのため、処理に長時間を要する自動処理モードにおいて、処理時間を抑制することができる。
【００３１】
上記の画像読取装置は、手動操作による入力操作が可能な操作部を備え、前記制御手段は、前記操作部からの入力に基づいて、前記記憶手段に記憶されている前記の各載置位置と前記の各処理モードとの対応関係を変更する構成としてもよい。
【００３２】
上記の構成によれば、各載置位置に対して所望の処理モードを設定することができる。そのため、ユーザは各使用状況に応じて多様に処理モードを選択することができる。
【００３３】
上記の画像読取装置は、前記検出手段は原稿台上における原稿の有無を検出するセンサを備え、このセンサが前記載置位置に対してそれぞれ設けられている構成としてもよい。
上記の構成によれば、各センサにより原稿の載置位置を的確に検出することができる。
【００３４】
本発明の画像形成装置は、上記の何れかの画像読取装置を備えるとともに、この画像情報読取装置から出力された画像情報に基づいて画像をシート上に形成する画像形成手段を備えていることを特徴としている。
【００３５】
これにより、原稿の画像の種類に応じた所望の画像読取りの処理あるいは画像処理を、原稿の載置位置を選択して原稿を載置することにより設定することができ、画像形成に伴うユーザの操作が容易となる。
【００３６】
上記の画像形成装置において、前記画像形成手段は、画像をシート上に形成する処理のための複数の処理モードを有しており、前記の各載置位置と画像形成手段における前記の各処理モードとの対応関係を記憶している記憶手段と、前記検出手段による検出結果と前記記憶手段に記憶されている前記対応関係とに基づいて、原稿の載置位置に対応した処理モードによる処理が行われるように前記画像処理手段を制御する制御手段とを備えている構成としてもよい。
【００３７】
上記の構成によれば、所望の画像形成処理を、画像の種類に応じた載置位置を選択して原稿を載置することにより設定することができる。これにより、ユーザは、多様な種類の画像に適した画像形成処理を行うために、原稿を適切な載置位置に載置するだけでよい。よって、手動でキー設定するなどの処理を行う必要が無い。
【００３８】
これにより、原稿の画像の種類に応じた所望の画像形成処理を、原稿の載置位置を選択して原稿を載置することにより設定することができる。このように、ユーザは、多様な種類の原稿に適した画像形成を行うために、原稿を適切な載置位置に載置するだけでよく、手動装置にてキー設定するなどの処理を行う必要が無い。この結果、画像形成ための操作を容易に行うことができる。
【００３９】
上記の画像形成装置は、複数種類のシートを供給可能なシート供給手段を備え、前記画像形成手段は前記複数種類のシート上に画像を形成可能であり、前記記憶手段は、さらに前記の各載置位置と前記の各シートとの対応関係を記憶しており、前記制御手段は、前記検出手段による検出結果と前記記憶手段に記憶されている前記対応関係とに基づいて、原稿の載置位置に対応したシートが前記画像形成手段に供給されるように前記シート供給手段を制御する構成としてもよい。
【００４０】
上記の構成によれば、原稿の画像に適したシートの選択を、原稿画像の種類に応じた載置位置を選択して原稿を載置することにより行うことができる。
【００４１】
上記の画像形成装置において、前記画像形成手段は前記複数サイズのシート上に画像を形成可能であり、前記検出手段は原稿のサイズを検出する機能を兼ね備え、複数サイズのシートを供給可能なシート供給手段と、前記検出手段による原稿サイズの検出結果に基づいて、原稿サイズに対応するサイズのシートが前記画像形成手段に供給されるように前記シート供給手段を制御する制御手段とを備えている構成としてもよい。
【００４２】
上記の構成によれば、原稿サイズに適したサイズのシートの選択を、画像の種類に応じた載置位置を選択して原稿を載置することにより行うことができる。また、検出手段は原稿のサイズを検出する機能を兼ねているので、構成の簡略化が可能である。
【００４３】
上記の画像形成装置は、前記操作部に入力された内容に基づいて、原稿の載置位置に対して設定された処理モードにさらに他の処理を追加指示可能である構成としてもよい。
【００４４】
これにより、各載置位置に対して設定されている処理モードに加えて、操作部からの入力により、画像形成における処理を追加することができる。そのため、ユーザの意図に応じた詳細な処理内容を設定することができる。
【発明の効果】
【００４５】
本発明の画像読取装置は、原稿の載置位置が複数箇所に設定されている原稿台と、前記原稿台に載置された原稿の画像を読取って画像情報に変換する処理を行うとともに、この処理のための複数の処理モードを有している読取手段と、前記の各載置位置と前記の各処理モードとの対応関係を記憶している記憶手段と、原稿が複数箇所の前記載置位置のうちのいずれに載置されたかを検出する検出手段と、前記検出手段による検出結果と前記記憶手段に記憶されている前記対応関係とに基づいて、原稿の載置位置に対応した処理モードによる処理が行われるように前記読取手段を制御する制御手段とを備えている構成である。
【００４６】
これにより、原稿の画像の種類に応じた所望の画像読取りの処理を、原稿の載置位置を選択して原稿を載置することにより設定することができる。このように、ユーザは、多様な種類の原稿に適した画像読取りを行うために、原稿を適切な載置位置に載置するだけでよく、手動装置にてキー設定するなどの処理を行う必要が無い。この結果、画像読取りの操作を容易に行うことができる。
【発明を実施するための最良の形態】
【００４７】
本発明の一実施の形態について以下に説明する。図９に、本実施の形態である読取機能付き画像形成装置としての複写機１００の概略構成を示す。複写機１００は、画像読取部（画像読取装置）１０と、画像形成部（画像形成手段）２０と、操作部３０（図１０参照）および制御部（制御手段）５０（図７参照）と、後処理装置２６０（図７参照）とを備えている。
【００４８】
制御部５０は、複写機１００における制御中枢であって、画像形成部２０の各部を始めとして、画像読取部１０、操作部３０、および後処理装置２６０の各部を制御する。すなわち、複写機１００の各部の動作は制御部５０の指示により開始・停止する。
【００４９】
画像読取部１０は、自動原稿搬送装置１１２、原稿台１１０、第１の走査ユニット（移動部）１２０、第２の走査ユニット１２１、光学レンズ１２２、および光電変換素子であるＣＣＤラインセンサ（ＣＣＤ）１２３を備えている。これら第１および第２の走査ユニット１２０・１２１、光学レンズ１２２、およびＣＣＤラインセンサ１２３にて読取手段が構成されている。
【００５０】
また、図９には示していないが、画像読取部１０は、後述する、第１検出器１３１（図５参照、以下同じ）、第２検出器１３２、第３検出器１３３、および第４検出器１３４よりなる原稿検出部（検出手段）１３０も備えている。
【００５１】
原稿台１１０は、画像読取部１０の上面に配設されており、下から原稿に光を当ててその反射光を正確に読取ることができるよう一様に無色透明な原稿台ガラス１１１と、それを支える原稿台枠１１５（図１参照）とから構成されている。原稿台枠１１５には、ユーザが原稿台ガラス１１１上に原稿を載置する位置（載置位置）の基準となる、載置基準Ｍ１〜Ｍ４から成る載置基準Ｍ（図１参照）が設けられている。
【００５２】
また、後述するが、各載置基準Ｍには、ユーザにより選択されたときに実行される、各カラーモードに応じた処理モードがそれぞれ設定されている。ここで、カラーモードとは、フルカラー、２色カラー、モノクロ等の、画像が表現される際に使用される数に応じて決められるモードである。
【００５３】
なお、画像読取部１０の備える、後述する、第１検出器１３１（図５参照、以下同じ）、第２検出器１３２、第３検出器１３３、および第４検出器１３４は、原稿台ガラス１１１の下方に配置されている。
【００５４】
第１の走査ユニット１２０は、図８に示すように、走査モータ１３５、光源ユニット検出器１３６、光源（露光ランプユニット）１３７、および第１ミラーを備える。
【００５５】
走査モータ１３５は、第１の走査ユニット１２０を原稿走査のために移動させる。光源１３７は、原稿台ガラス１１１の面を露光するもので、原稿台ガラス１１１の面に光が当たることにより得られる反射光は、第１〜第３ミラーにて導かれて光学レンズ１２２に入射される。光学レンズ１２２は、入射した反射光をＣＣＤ１２３上に結像させる。光源ユニット検出器１３６は、第１の走査ユニット１２０が基準となる位置に居るか否かを検出し、第１の走査ユニット１２０の走査位置を制御するための信号を得るための検出器である。
【００５６】
また、図９に示される第２の走査ユニット１２１は、第２ミラーおよび第３ミラーを備えている。
【００５７】
図９に示されるように、画像読取部１０の第１の走査ユニット１２０は、制御部５０の動作制御の下、主走査方向に光走査しながら副走査方向（図中でＡと示される方向）への移動を開始する。走査光の反射光である原稿台ガラス１１１の原稿からの反射光は、副走査方向に移動する第２の走査ユニット１２１を介して光学レンズ１２２に入り、ＣＣＤ１２３上に結像される。第１の走査ユニット１２０および第２の走査ユニット１２１の副走査方向における移動速度はカラーモードによって異なり、フルカラーおよび２色カラー画像の処理モードの場合、モノクロ画像の処理モードの場合よりも遅くなる。
【００５８】
さらに、原稿台１１０の上方には、自動原稿搬送装置１１２が設けられている。自動原稿搬送装置１１２は、原稿セットトレイ１１４に載置された原稿を１枚ずつ自動的に原稿台１１０上へ送る。自動原稿搬送装置１１２は、画像読取部１０の上面の一端に開閉自在に取り付けられており、その底面が原稿カバーとしての機能を有している。自動原稿搬送装置１１２は、原稿台１１０が備えられている原稿台ガラス１１１の面より広い大きさの底面で原稿台ガラス１１１上に載置された原稿を押さえると共に、原稿への外部からの光の照射を防止する。
【００５９】
また、上記画像読取部１０は、自動原稿搬送装置１１２との関連した動作により、自動原稿搬送装置１１２にて自動搬送される原稿の画像を、原稿台ガラス１１１上における所定の露光位置にて読取るようにもなっている。
【００６０】
画像形成部２０は、画像読取部１０の下方に設置されている。画像形成部２０は、画像読取部１０、あるいは複写機１００に接続された外部装置より送信された画像データ（画像情報）から、フルカラーもしくは２色カラーの多色画像、またはモノクロ（白黒）の単色画像をシート（記録用紙）上に形成する。
【００６１】
そして、画像形成部２０の上部の中央には、露光ユニット１（１ａ、１ｂ、１ｃ、１ｄ）、現像器２（２ａ、２ｂ、２ｃ、２ｄ）、感光体ドラム３（３ａ、３ｂ、３ｃ、３ｄ）、クリーナユニット４（４ａ、４ｂ、４ｃ、４ｄ）、帯電器５（５ａ、５ｂ、５ｃ、５ｄ）、および転写ローラ６（６ａ、６ｂ、６ｃ、６ｄ）が設けられている。
【００６２】
さらに、画像形成部２０には、転写搬送ベルトユニット８、定着ユニット１２、レジストローラ１４、排紙トレイ１５、３３、ピックアップローラ１６、図示しない搬送ローラ、搬送方向切換えガイド３４、側面カバー３５、給紙トレイ４０、および用紙搬送路Ｓが設けられている。定着ユニット１２はヒートローラ３１および加圧ローラ３２を備えている。また、レジストローラ１４、ピックアップローラ１６、および搬送ローラで搬送機構部２５０を形成している。また、転写ローラ６、転写ベルト７、および転写搬送ベルトユニット８で転写部１１を形成している。
【００６３】
感光体ドラム３は、その表面に、メモリ３０２から読み出された画像データに基づいてトナー像が形成される。帯電器５は、感光体ドラム３の表面を所定の電位に均一に帯電させる。帯電器５としては、接触して帯電させるローラ型やブラシ型の帯電器の他、図９に示すようにチャージャー型の帯電器が用いられる。
【００６４】
露光ユニット（書込部）１は、帯電した感光体ドラム３を、メモリ３０２から読み出された画像データに応じて露光させ、その表面に画像データに応じた静電潜像を形成する。露光ユニット１としては、発光素子をアレイ状に並べた、例えばＥＬやＬＥＤ書込みヘッドや、レーザ照射部および反射ミラーを備えたレーザスキャニングユニット（ＬＳＵ）が用いられる。
【００６５】
現像器（現像部）２は、感光体ドラム３上に形成された静電潜像を、それぞれ、（Ｋ、Ｃ、Ｍ、Ｙ）のトナーにより顕像化し、トナー像とする。
【００６６】
転写ローラ６は、転写搬送ベルトユニット８の内側のフレーム（図示せず）に回転可能に支持されており、転写ベルト７の内側に接触している。また、転写ローラ６は、感光体ドラム３のトナー像を、転写ベルト７上に吸着されて搬送されるシートに転写する。
【００６７】
転写ローラ６には、トナー像を転写するために高電圧（トナーの帯電極性（−）とは逆極性（＋）の高電圧）が印加されている。転写ローラ６は、直径８〜１０ｍｍの金属（例えばステンレス）軸をベースとし、表面が導電性の弾性材（例えばＥＰＤＭ、発泡ウレタン等）により覆われているローラである。この導電性の弾性材により、記録紙（シート）に対して均一に高電圧を印加することができる。本実施例では転写を行うための転写電極として転写ローラ６を使用しているが、それ以外にブラシなどを用いてもよい。
【００６８】
クリーナユニット４は、シートに転写されずに残留しているトナー像を、感光体ドラム３上の表面から除去・回収する。
【００６９】
なお、複写機１００においては、ブラック（Ｋ）のみを用いた単色の画像を形成するための画像データに加えて、ブラック（Ｋ）、シアン（Ｃ）、マゼンタ（Ｍ）およびイエロー（Ｙ）の４色を用いた画像（カラー画像）を形成するための画像データも用いられるため、露光ユニット１として、各色に対応した４つの露光ユニット（１ａ、１ｂ、１ｃ、１ｄ）が設けられている。すなわち、４つの露光ユニットのそれぞれが、４色それぞれの潜像を形成する処理に関連している。例えば、露光ユニット１ａはＫ、露光ユニット１ｂはＣ、露光ユニット１ｃはＭ、および、露光ユニット１ｄはＹに対応している。
【００７０】
同様に、現像器２、感光体ドラム３、クリーナユニット４、帯電器５、および転写ローラ６も、４つずつ設けられており、４つのそれぞれがそれぞれの色に対応している。また、露光ユニット１ａ、現像器２ａ、感光体ドラム３ａ、クリーナユニット４ａ、帯電器５ａ、および転写ローラ６ａが、Ｋ色の画像形成を行うための、一つの画像ステーションを構成している。
【００７１】
同様に、露光ユニット１ｂ、現像器２ｂ、感光体ドラム３ｂ、クリーナユニット４ｂ、帯電器５ｂ、および転写ローラ６ｂは、Ｃ色の画像形成を行うための、一つの画像ステーションを構成している。露光ユニット１ｃ、現像器２ｃ、感光体ドラム３ｃ、クリーナユニット４ｃ、帯電器５ｃ、および転写ローラ６ｃは、Ｍ色の画像形成を行うための、一つの画像ステーションを構成している。露光ユニット１ｄ、現像器２ｄ、感光体ドラム３ｄ、クリーナユニット４ｄ、帯電器５ｄ、および転写ローラ６ｄは、Ｙ色の画像形成を行うための、一つの画像ステーションを構成している。
【００７２】
感光体ドラム３の下方に配置されている転写搬送ベルトユニット８は、シートにトナー像を転写させるために、シートを搬送する。転写搬送ベルトユニット８は、転写ベルト７、転写ベルト駆動ローラ７１、転写ベルトテンションローラ７２、転写ベルト従動ローラ７３、転写ベルト支持ローラ７４、および転写ベルトクリーニングユニット９を備えている。
【００７３】
転写ベルト駆動ローラ７１、転写ベルトテンションローラ７２、転写ベルト従動ローラ７３、および転写ベルト支持ローラ７４は、各画像ステーションの転写ローラ６と共に、転写ベルト７を張架し、転写ベルト７を矢印Ｂ方向に回転駆動させる。
【００７４】
転写ベルト７は、シートを、感光体ドラム３ａ、感光体ドラム３ｂ、感光体ドラム３ｃ、感光体ドラム３ｄの順に接触させ、各感光体ドラム３に形成された各色のトナー像をシートに転写し、画像を形成する機能を有している。ただし、用いられる画像データあるいは形成される画像が単色であった場合、感光体ドラム３ａのトナー像のみがシートに転写される。また、転写ベルト７は、厚さ１００μｍ〜１５０μｍ程度のフィルムを用いて無端状に形成されている。
【００７５】
転写ベルトクリーニングユニット９は、シートの裏面を汚す原因となる、シートに転写された後に転写ベルト７に残留しているトナーを除去・回収する。転写ベルトクリーニングユニット９には、クリーニング部材として、転写ベルト７に接触する、例えばクリーニングブレードが備えられている。転写ベルト７は、クリーニングブレードが接触する位置で、裏側から転写ベルト支持ローラ７４により支持されている。
【００７６】
給紙トレイ４０は、画像が形成されるシートを蓄積しておくためのトレイであり、複写機１００の画像形成部２０の下部に設けられている。また、画像形成部２０の上端部に設けられている排紙トレイ１５は、印刷済みのシートを反転された状態で（フェイスダウンで）、すなわち、トナー像が形成された面を下側に向けて載置するためのトレイである。複写機１００の側部に設けられている排紙トレイ３３は、画像形成済みのシートをトナー像が形成された面を上側に向けて（フェイスアップで）載置するためのトレイである。
【００７７】
給紙トレイ４０から排紙トレイ１５までつながっている、Ｓの字形状の用紙搬送路Ｓは、給紙トレイ４０のシートを、転写搬送ユニット８や定着ユニット１２を経由させて排紙トレイ１５または排紙トレイ３３に搬送させる。さらに用紙搬送路Ｓの近傍には、ピックアップローラ１６、レジストローラ１４、定着部１２、搬送方向切換えガイド３４、およびシートを搬送する搬送ローラ２５等が配置されている。また、用紙搬送路Ｓの、搬送切換えガイド３４から排紙トレイ１５までの部分が搬送路Ｓ’（用紙搬送路Ｓの反転排紙経路）となっている。
【００７８】
搬送ローラは、シートの搬送を促進・補助するための小型のローラであり、用紙搬送路Ｓに沿って複数設けられている。ピックアップローラ１６は、給紙トレイ４０の端部に備えられ、給紙トレイ４０からシートを１枚ずつ用紙搬送路Ｓに供給する呼び込みローラである。
【００７９】
搬送方向切換えガイド３４は、側面カバー３５に回転可能に設けられており、搬送路Ｓ’に沿った第１位置（実線で示した位置）、および、第１位置から反時計回りに回転した位置である第２位置（破線で示した位置）に配置される。搬送方向切換えガイド３４が第１位置に配置されている場合には、シートは、定着ユニット１２、側面カバー３５、および搬送路Ｓ’を通り、排紙トレイ１５に排出される。搬送方向切換えガイド３４が第２位置に配置されている場合、シートは搬送路Ｓ’を通らず、用紙搬送路Ｓの途中の排紙トレイ３３に排出される。
【００８０】
また、レジストローラ１４は、用紙搬送路Ｓ内で搬送されているシートを、画像ステーション到達する前に、いったん保持する。そして、４色それぞれの感光体ドラム３上のトナー像を、シートに良好に多重転写できるように、感光体ドラム３の回転にあわせて、シートをタイミングよく搬送する機能を有している。すなわち、レジストローラ１４は、図示しないレジスト前検知スイッチの出力した検知信号に基づいて、各感光体ドラム３上のトナー像の先端をシートにおける画像形成範囲の先端に合わせるように、シートを搬送するように設定されている。
【００８１】
定着ユニット１２は、ヒートローラ３１および加圧ローラ３２を備えており、ヒートローラ３１および加圧ローラ３２は、シートを挟んで回転するようになっている。
【００８２】
ヒートローラ３１は、図示しない温度検出器からの信号に基づいて制御部５０によって所定の定着温度となるように設定されており、加圧ローラ３３とともにシートを熱圧着することにより、シートに転写された多色トナー像を溶融・混合・圧接し、シートに対して熱定着させる機能を有している。
【００８３】
なお、多色トナー像の定着後のシートは、搬送ローラ２５等によって搬送路Ｓ’内を搬送され、フェイスダウンで排紙トレイ１５上に排出される。あるいは、搬送路Ｓ’を通らず排紙トレイ３３上にフェイスアップで排出される。
＜操作部３０の説明＞
図１０は、操作部３０の構成を示す正面図である。操作部３０は、原稿台１１０に設けられ、各種のキーＫ１〜Ｋ８、および、操作パネルＰを備える。ユーザが各種のキーおよび操作パネルＰを操作して複写の処理の設定を行うと、操作部３０は入力された内容を制御部５０に伝達する。操作部３０の中央に配置された操作パネルＰは、例えば液晶タッチパネル等で構成され、種々の画像が切換えて表示される。液晶タッチパネルの画面上には、種々の条件を設定するためのタッチキーが配置されており、ユーザはタッチキーを指で直接押圧操作して、各種の条件設定が可能になっている。また、操作のガイダンスや警告等も操作パネルＰに表示される。
【００８４】
操作パネルＰの右側には、テンキーＫ１、スタートキー（プリント開始キー）Ｋ５、クリアキーＫ３、割込キーＫ２、および全解除キーＫ４が配置されている。テンキーＫ１は、ユーザによりシート枚数等を入力される。スタートキーＫ５は複写等を開始させるためのものであり、ユーザはスタートキーＫ５を押すことにより、複写開始を指示する。クリアキーＫ３は入力された内容を消去するためのものであり、割込キーＫ２は複写処理中に他の処理を割り込ませるためのものであり、全解除キーＫ４は全ての入力された内容を消去するためのものである。操作パネルＰの左側には動作モードを切換えるためのモードキーである、ファックスキーＫ６、プリンタキーＫ７、およびコピーキーＫ８が配置されている。
＜原稿検出部１３０の説明＞
ここで、原稿のサイズと位置とを検出する手段である原稿検出部１３０（第１検出器１３１、第２検出器１３２、第３検出器１３３、および第４検出器１３４）について説明する。図５は、原稿台ガラス１１１および原稿台ガラス１１１の下に配置された原稿検出部１３０の構成を示した正面図である。
【００８５】
第１〜第４の検出器１３１〜１３４としては多光点センサが用いられる。多光点センサは、対象物に対して複数の光ビームを照射し、照射ポイントごとの反射光を受光し、それら光量を検出する。すなわち、第１〜第４の検出器１３１〜１３４は、原稿面に光を照射し、その反射光の検出結果により原稿台ガラス１１１上に載置された原稿の有無を検知する。
【００８６】
また、第１〜第４の検出器１３１〜１３４は、第１〜第４の載置基準Ｍ１〜Ｍ４に対応して設けられており、何れも、主走査方向の原稿端部位置を検出する主走査方向検出センサ、および、副走査方向の原稿端部位置を検出する副走査方向検出センサよりなる。例えば、第１検出器１３１は、第１載置基準Ｍ１に対応して設けられ、主走査方向検出センサ１３１ａと副走査方向検出センサ１３１ｂより構成されており、制御部５０は、第１検出器１３１の検出信号に基づいて、第１載置基準Ｍ２を基準として載置された原稿の有無と共に、載置された原稿の大きさを検出するようになっている。
【００８７】
同様にして、第２検出器１３２は、主走査方向検出センサ１３２ａと副走査方向検出センサ１３２ｂより構成されており、制御部５０は、第２検出器１３２の検出信号に基づいて、第２載置基準Ｍ２を基準として載置された原稿の有無と共に、載置された原稿の大きさを検出するようになっている。
【００８８】
同様にして、第３検出器１３３は、主走査方向検出センサ１３３ａと副走査方向検出センサ１３３ｂより構成されており、制御部５０は、第３検出器１３３の検出信号に基づいて、第３載置基準Ｍ３を基準として載置された原稿の有無と共に、載置された原稿の大きさを検出するようになっている。
【００８９】
同様にして、第４検出器１３４は、主走査方向検出センサ１３４ａと副走査方向検出センサ１３４ｂより構成されており、制御部５０は、第４検出器１３４の検出信号に基づいて、第４載置基準Ｍ４を基準として載置された原稿の有無と共に、載置された原稿の大きさを検出するようになっている。
【００９０】
ここで、主走査方向検出センサ１３１ａを例にあげて、載置された原稿の有無と共に、載置された原稿の大きさを検出する方法について、図６を用いて説明する。図６は、原稿検出部１３０として用いられる多光点センサ、および、多光点センサに検知される原稿の構成を示す斜視図である。主走査方向検出センサ１３１ａは、対応する第１載置基準Ｍ１から主走査方向に予め定められた距離だけ離間した複数のポイントＰ１〜Ｐ３に対して光ビームを照射し、それらの反射光の光量を測定する。
【００９１】
ポイントＰ１〜Ｐ３は、原稿台に載置可能な原稿の各サイズに応じて決められている。図６のように、ポイントＰ１から、ポイントＰ２とポイントＰ３との間に渡って原稿が配置されている場合、すなわちポイントＰ２とポイントＰ３との間に原稿端が位置している場合、ポイントＰ１・Ｐ２では原稿にて光ビームが反射されるが、ポイントＰ３では原稿が無いために光ビームが反射されず、その反射光は検出されない。したがって、制御部５０は、各ポイントＰ１〜Ｐ３からの反射光の光量を検出することで、主走査方向の原稿の端部位置、即ち主走査方向の原稿サイズを確認できる。
【００９２】
副走査方向検出センサ１３１ｂもこれと同様であり、副走査方向の各ポイントが載置可能な原稿の各サイズに応じて決められている。したがって、第１載置基準Ｍ１から副走査方向に予め定められた距離だけ離間した複数のポイントからの反射光の光量を検出することで、制御部５０は、副走査方向の原稿の端部位置、即ち走査方向の原稿サイズを確認するようになっている。
【００９３】
このようにして、第１載置基準Ｍ１を基準として原稿が載置された場合、主走査方向検出センサ１３１ａの検出結果と、副走査方向検出センサ１３１ｂの検出結果にて、制御部５０は、原稿が第１載置基準Ｍ１を基準として載置されていることに加えて、載置された原稿の主走査方向、および副走査方向の端部位置を確認して原稿全体のサイズをも判別することができる。また、第２載置基準Ｍ２〜第４載置基準Ｍ４に原稿が載置された場合も同様に、載置された原稿の有無およびサイズを検出することができる。
＜複写機１００の動作＞
次に、図７を用いて複写機１００の動作について説明する。操作部３０を用いたユーザからの複写開始指示により、画像読取部１０にて読取られた原稿の画像は、画像データとして後述する画像データ入力部３００を介して画像処理部（画像処理手段）３０１に送られ、必要な画像処理が施された後、一旦メモリ（記憶手段）３０２に記憶され、その後、制御部５０の指示するタイミングで書込部１に転送される。
【００９４】
書込部１は、周知の画像形成プロセスにて、感光体ドラム３表面上に画像データに基づく静電潜像を形成し、該静電潜像が、現像部２により現像されてトナー像となり、該トナー像が、給紙トレイ４０から搬送機構部２５０を通じて給紙された用紙に、転写部１１により転写される。トナー像が転写された用紙は、定着部１２に送られ、定着処理が施された後、後処理装置２６０にて必要に応じて後処理が施された後排出される。
＜載置基準＞
次に、載置基準Ｍ１〜Ｍ４から成る基準部材１１６について説明する。図１に示されるように、矩形状を有する原稿台ガラス１１１の、操作部３０に向かった場合の左手奥側の角である第１コーナーに載置基準Ｍ１が、操作部３０に向かった場合の左手手前側の角である第２コーナーに載置基準Ｍ２が、操作部３０に向かった場合の右手奥側の角である第３コーナーに載置基準Ｍ３が、操作部３０に向かった場合の右手手前側の角である第４コーナーに載置基準Ｍ４が配置されている。
【００９５】
以下の記述において、原稿台ガラス１１１の手前とは、操作部３０に向かった場合の、原稿台ガラス１１１の手前の位置を示す。
【００９６】
また、載置基準Ｍ１が選択された場合は、ＡＣＳ（auto color selection）の条件にて複写処理が行われるように設定されている。ここで、ＡＣＳとは、制御部５０が原稿のカラーモードを判別し、この判別結果のカラーモードに適した処理モード（例えばフルカラー画像の処理モードかモノクロ画像の処理モードのうちの何れかの処理モード）を自動的に設定する機能のことである。これにより、ユーザによる手動の設定ではなく、自動的に処理モードが設定される。
【００９７】
また、載置基準Ｍ２が選択された場合は、フルカラー画像の処理モードにて複写処理が行われるように、載置基準Ｍ３が選択された場合は、モノクロ画像の処理モードにて複写処理が行われるように、載置基準Ｍ４が選択された場合は、２色カラー画像の処理モードにて複写処理が行われるように、それぞれ設定されている。
【００９８】
さらに、図２に示されるように、各載置基準に対応している処理モードを、例えば、原稿台枠１１５上の、原稿台ガラス１１１の４角付近の位置にそれぞれシールを貼って表示し、ユーザに対して確認し易いようにする。すなわち、各載置基準Ｍに対して自動的に設定される処理モードを示す目印を、各載置基準Ｍが配置される各コーナーにつけるようにする。
＜複写機１００の画像形成の手順＞
次に、複写機１００の画像形成の手順について、図４を用いて説明する。図４は、複写機１００における画像形成の手順を示したフローチャートである。
【００９９】
まず、ユーザにより原稿台１１０に原稿が載置される。原稿検出部１３０（多光点センサ）は原稿台１１０の原稿を検知し（Ｓ１）、検知結果により、制御部５０は原稿がどの位置に載置されているかを判断する。すなわち、ユーザがどの載置基準を選択したかを判断する（Ｓ２）。
【０１００】
載置基準Ｍ３が選択されていると判断した場合（Ｓ２、１）、制御部５０は、画像読取、画像変換、および画像形成の条件をモノクロ画像の処理モードに設定する（Ｓ３）。さらに、制御部５０は、ユーザが操作部３０へ入力することにより、複写開始指示があったか否かを判断する（Ｓ４）。複写開始指示があったと判断するまで、制御部５０は待機する（Ｓ４、Ｎｏ）。
【０１０１】
複写開始指示があったと判断すれば（Ｓ４、Ｙｅｓ）、制御部５０は、モノクロ画像の処理モードで画像読取を行うよう画像読取部１０へ指示する。これに応じて、画像読取部１０は画像読取を行う（Ｓ５）。さらに、制御部５０は、読取られた画像を、モノクロに対応した、例えばＧＩＦまたはＴＩＦＦなどのデータ形式で画像データに変換するよう画像処理部３０１へ指示し、これに応じて、画像処理部３０１は指示された画像データへの変換を行い、変換後の画像データをメモリ３０２に保存する（Ｓ６）。
【０１０２】
さらに、制御部５０は、画像データをメモリ３０２から読み出し（Ｓ７）、給紙トレイ４０に収納されているシートの中から、例えば普通紙などのモノクロ用のシートを給紙するよう給紙トレイ４０および搬送機構部２５０に指示する。これに応じて、給紙トレイ４０からモノクロ用シートが給紙され（Ｓ８）、給紙されたシートは用紙搬送路Ｓを通って画像ステーションに接触するように搬送され、そのシートにモノクロ画像が形成される（Ｓ９）。シートは画像を形成された後、排紙トレイ３３あるいは排紙トレイ１５に排出され、制御部５０は複写処理を終了させる（ｅｎｄ）。
【０１０３】
同様に、制御部５０は載置基準Ｍ４が選択されていると判断した場合（Ｓ２、２）、制御部５０は、画像読取、画像変換、および画像形成の条件を２色カラーの処理モードに設定する（Ｓ１０）。さらに、制御部５０は、複写開始指示があったか否かを判断し（Ｓ１１）、複写開始指示があったと判断するまで、複写処理の開始を待機させる（Ｓ１１、Ｎｏ）。
【０１０４】
複写開始指示があったと判断すれば（Ｓ１１、Ｙｅｓ）、制御部５０は、２色カラー画像の処理モードで画像読取を行うよう画像読取部１０へ指示し、これに応じて、画像読取部１０は画像読取を行う（ＳＳ１２）。さらに、制御部５０は、読取られた画像を、２色カラーに対応した、例えばＧＩＦまたはＴＩＦＦなどのデータ形式で画像データに変換するよう画像処理部３０１へ指示し、これに応じて、画像処理部３０１は指示された画像データへの変換を行い、変換後の画像データをメモリ３０２に保存する（Ｓ１３）。
【０１０５】
また、制御部５０は、画像データをメモリ３０２から読み出し（Ｓ１４）、給紙トレイ４０に収納されているシートの中から、例えば上質紙などの２色カラー用のシートを給紙するよう給紙トレイ４０および搬送機構部２５０に指示する。これに応じて、給紙トレイ４０は２色カラー用シートを給紙し（Ｓ１５）、給紙されたシートに２色カラー画像が形成される（Ｓ１６）。その後シートは、排紙トレイ３３あるいは排紙トレイ１５に排出され、制御部５０は複写処理を終了させる（ｅｎｄ）。
【０１０６】
また、制御部５０は載置基準Ｍ２が選択されていると判断した場合（Ｓ２、３）、制御部５０は、画像読取、画像変換、および画像形成の条件をフルカラーの処理モードに設定する（Ｓ１７）。さらに、制御部５０は、複写開始指示があったか否かを判断し（Ｓ１８）、複写開始指示があったと判断するまで、複写処理の開始を待機させる（Ｓ１８、Ｎｏ）。
【０１０７】
複写開始指示があったと判断すれば（Ｓ１８、Ｙｅｓ）、制御部５０は、プレスキャンを行うよう画像読取部１０に指示し、これに応じて、画像読取部１０はプレスキャンを行う（Ｓ１９）。さらに、制御部５０はフルカラー画像の処理モードで画像読取を行うよう画像読取部１０へ指示し、これに応じて、画像読取部１０は画像読取を行う（Ｓ２０）。さらに、制御部５０は、読取られた画像を、フルカラーに対応した、例えばＪＰＥＧなどのデータ形式で画像データに変換するよう画像処理部３０１へ指示し、これに応じて、画像処理部３０１は指示された画像データへの変換を行い、変換後の画像データをメモリ３０２に保存する（Ｓ２１）。
【０１０８】
また、制御部５０は、画像データをメモリ３０２から読み出し（Ｓ２２）、給紙トレイ４０に収納されているシートの中から、例えば上質紙または光沢紙などの、フルカラー用のシートを給紙するよう給紙トレイ４０および搬送機構部２５０に指示する。これに応じて、給紙トレイ４０はフルカラー用シートを給紙し（Ｓ２３）、給紙されたシートにフルカラー画像が形成される（Ｓ２４）。その後シートは、排紙トレイ３３あるいは排紙トレイ１５に排出され、制御部５０は複写処理を終了させる（ｅｎｄ）。
【０１０９】
また、制御部５０は載置基準Ｍ１が選択されていると判断した場合（Ｓ２、４）、ＡＣＳの処理モードに設定する（Ｓ２５）。さらに、制御部５０は、複写開始指示があったか否かを判断し（Ｓ２６）、複写開始指示があったと判断するまで、複写処理の開始を待機させる（Ｓ２６、Ｎｏ）。
【０１１０】
複写開始指示があったと判断すれば（Ｓ２６、Ｙｅｓ）、プレスキャンを行うよう画像読取部１０に指示し、これに応じて、画像読取部１０はプレスキャンを行う（Ｓ２７）。
【０１１１】
さらに、制御部５０は、プレスキャンされた画像がどのカラーモードであるかを判断する（Ｓ２８）。プレスキャンされた画像がモノクロであった場合は（Ｓ２８、３）、モノクロ画像の処理モードで画像読取を行うよう、画像読取部１０に指示する。これに応じて、画像読取部１０は、画像読取を行う（Ｓ５）。
【０１１２】
また、プレスキャンされた画像が２色カラーであった場合は（Ｓ２８、２）、２色カラー画像の処理モードで画像読取を行うよう、画像読取部１０に指示する。これに応じて、画像読取部１０は、画像読取を行う（Ｓ１２）。
【０１１３】
プレスキャンされた画像がフルカラーであった場合は（Ｓ２８、１）、フルカラー画像の処理モードで画像読取を行うよう、画像読取部１０に指示する。これに応じて、画像読取部１０は、画像読取を行う（Ｓ２０）。Ｓ５〜ｅｎｄ、Ｓ１２〜ｅｎｄ、およびＳ２０〜ｅｎｄの手順については上述とほぼ同様であるが、ＡＣＳの処理モードの場合、画像が形成されるシートについては普通紙が選択される。画像が形成されるシートの選択以外の処理については上述と同様であり、説明を省略する。
【０１１４】
上記のように、データ形式として、フルカラーなどのカラー画像に対しては、ネットワーク効率を適正化させるために、圧縮した際に劣化が少なくデータ量が小さくできるＪＰＥＧが選択される。また、モノクロや２色カラーなど色の数が少ない画像や、中間調の色彩が多く使われている画像に対しては、ＴＩＦＦが選択される。さらに、ＡＣＳ選択時はＡＵＴＯのデータ形式が選択される。すなわち、ＡＣＳ選択時はプレスキャンが行われ、制御部５０が、プレスキャンされた画像データを圧縮するのに最も適したデータ形式を選択する。
【０１１５】
このように、シート上に形成される画像の種類に応じて原稿の載置位置を選択し、その位置に原稿を載置することにより、読取られた画像は、画像の種類に適したデータ形式の画像情報に変換される。そのため、ユーザによるキー設定などの処理を要すること無く、多様な種類の画像をそれらに適した画像情報に変換することができる。
【０１１６】
また、上記のように、プレスキャンを行うモードである、ＡＣＳおよびフルカラー画像の処理モードを、第１コーナーまたは第２コーナーにそれぞれ配置される、載置基準Ｍ１または載置基準Ｍ２に対して設定する。第１コーナーおよび第２コーナーは、第１の走査ユニット１２０が副走査を開始する位置である。これにより、プレスキャンを行うために、あるいは、走査する速度が遅いために読取り時間が長くなる、ＡＣＳおよびフルカラー画像の処理時間を短縮することが可能となる。
【０１１７】
また、上記のように、各処理モードに対して最適なシートが、再生紙、普通紙、光沢紙、および上質紙の中から選択される。ここで、シートの白さ、平滑度、および光沢の強さから判断して、画像形成の仕上がりは、光沢紙、上質紙、普通紙、再生紙の順に美しくなる。
【０１１８】
フルカラー画像に対しては、フルカラーのデータの色彩を鮮やかに表現できる光沢紙または上質紙が選択され、特に写真原稿に対しては光沢紙が選択される。二色カラー画像に対しては、色の種類にかかわらず画像を美しく再現できる上質紙が選択される。モノクロ画像に対しては、文字を鮮明に再現できる普通紙が選択される。
【０１１９】
これにより、ユーザは、多様な種類の画像に適したシートに画像形成処理を行うために、原稿を適切な載置位置に載置するだけでよい。よって、手動でキー設定するなどの処理を行って、画像に適したシートが収納されたトレイを指定するなどの必要が無い。
【０１２０】
また、上記の構成によれば、ユーザは、原稿の画像の種類に対応する載置基準に基づいて原稿を載置すればよく、操作パネルＰ等から処理モード（フルカラー画像、２色カラー画像、モノクロ画像の処理モード等）の設定をする必要が無い。これにより、キー操作などによる設定を無くすことができ、複写操作を容易にすることができる。
【０１２１】
また、上記の構成によれば、載置基準に対する処理モードを設定し、さらに変更することが可能である。これにより、ユーザの所望する処理モードを、原稿台におけるそれぞれの載置基準に対して、予め設定できる。
【０１２２】
また、上記の構成によれば、夫々の載置基準に対応させて設けられた検出手段により何れの載置基準に基づいて原稿が載置されたかを容易に検出できる。また、的確な検出結果に基づいて、制御部５０は、選択された原稿の載置位置を的確に判断できる。
【０１２３】
また、上記の構成によれば、原稿を適切な載置基準に合わせて載置することで、各画像の種類に応じたデータ形式が選択される。これにより、各画像の種類に応じたデータ形式を選択する必要がある、例えばスキャン送信する場合などに、適切なデータ形式の画像データを送信することができ有効である。ここで、スキャン送信とは、原稿の画像を読取って、複写機１００に外部接続された装置に、画像のデータを送信することである。
【０１２４】
また、上記の構成によれば、フルカラー画像の処理モードを、原稿台ガラス１１１の手前に位置する載置基準に対して設定している。これにより、フルカラー画像である、例えば写真などのサイズが小さい原稿については、原稿台ガラス１１１の手前に置いて複写処理を行うことができる。そのため、サイズが小さく載置する際に安定しにくい原稿を、載置し易い原稿台１１０の手前の位置に載置して複写処理することができる。
【０１２５】
また、上記の構成によれば、副走査方向における移動速度がモノクロ画像の処理モードより遅いフルカラー画像の処理モードにおいて、第１の走査ユニット１２０のホームポジション（走査を開始する位置）の近くに原稿が載置されることにより、読取に要する時間が長くならない。
【０１２６】
また、プレスキャンを行い原稿の画像の判別をしてから画像読取（本スキャン）が行われるＡＣＳのモードにおいても、第１の走査ユニット１２０のホームポジションの近くに原稿が載置されることにより、読取に要する時間が長くならない。
【０１２７】
さらに、第１の走査ユニット１２０のホームポジション（走査を開始する位置）の遠くに原稿が載置されるモノクロ画像の処理モードでは、副走査方向における第１の走査ユニット１２０の移動速度が速いため、読取に要する時間が長くならない。
【０１２８】
また、上記の構成によれば、特にオートクリアが機能する装置において、同じ処理モードで複写処理を行う場合に、原稿を原稿台１１０上の所定位置に載置しておけばオートクリアが実行されない。したがって、所定時間が経過してしまったためにデフォルトの処理モードに自動的に戻った処理モードを設定し直すといった面倒な操作を行う必要が無い。また、オートクリアが実行される前に、先に使用したユーザの設定条件で誤った画像読取や画像形成を行ってしまうことを防ぐことができる。ここで、オートクリアとは、操作部３０の操作が所定時間行われない場合等に、デフォルトの処理モードに自動的に戻る制御のことである。
【０１２９】
また上記においては、データ形式として、フルカラー画像、モノクロ、２色カラー画像、およびＡＣＳの処理モードに対して、それぞれ、ＪＰＥＧ、ＧＩＦまたはＴＩＦＦ、ＧＩＦまたはＴＩＦＦ、およびＡＵＴＯのデータ形式が選択されるとした。
【０１３０】
しかしながら、処理モードとそれに対して選択されるデータ形式との組み合わせは、上記に限定されるものではない。例えば表１のように、データ形式として、フルカラー画像、モノクロ、２色カラー画像、およびＡＣＳの処理モードに対して、それぞれ、ＪＰＥＧ、ＴＩＦＦ、ＴＩＦＦ、およびＡＵＴＯのデータ形式が選択されるようにしてもよい。表１は、載置基準Ｍ１〜Ｍ４と、各載置基準に対して設定されている処理モード、画像が変換されるデータ形式、および画像が形成される記録シート種類との関係を示した表である。
【０１３１】
【表１】
2005348171.tif 000003
【０１３２】
また、上記においては、処理モードに応じてＪＰＥＧ、ＧＩＦ、およびＴＩＦＦの中からデータ形式が選択されるとした。しかしながら、これに限定されるものではなく、例えばＪＰＥＧ、ＴＩＦＦ、ＧＩＦ、およびＰＤＦの中からデータ形式が選択されるようにしてもよい。
【０１３３】
また上記においては、シートとして、フルカラー画像、二色カラー画像、モノクロ画像、およびＡＣＳの処理モードに対して、それぞれ、光沢紙または上質紙、上質紙、普通紙、および普通紙が選択されるとした。
【０１３４】
しかしながら、処理モードとそれに対して選択されるシートとの組み合わせは、上記に限定されるものではない。すなわち、画像に適したシートを採用することとし、設定はこれに限らない。例えば表１のように、フルカラー画像、二色カラー画像、モノクロ画像、およびＡＣＳの処理モードに対して、それぞれ、光沢紙または上質紙、光沢紙または上質紙、および、普通紙または裏紙、普通紙が選択されるようにしてもよい。
【０１３５】
上記のような、各載置基準Ｍに対する各処理モード、各データ形式、および各シートの設定は、ユーザが操作部３０を操作することにより行われる。また、ユーザは設定された内容を任意に変更できるような構成にしてもよい。これにより、ユーザは、各使用状況に応じて、多様に処理モードを選択することができる。
【０１３６】
また上記においては、制御部５０は、選択された載置基準に応じて、処理モード、データ形式、およびシート種類を選択するとした。しかしながら、これに限定されるものではない。
【０１３７】
例えば表２のように、処理モードおよびシート種類のみが設定されるようにしてもよい。表２は、載置基準Ｍ１〜Ｍ４と、各載置基準に対して設定されている処理モードおよび画像が形成される記録シート種類との関係を示した表である。この場合、載置基準Ｍ１、載置基準Ｍ２、載置基準Ｍ３、および載置基準Ｍ４が選択されたときには、処理モードとして、それぞれ、ＡＣＳ、フルカラー画像、モノクロ画像、および２色カラー画像の処理モードが選択される。また、シートの種類として、それぞれ、普通紙、光沢紙または上質紙、普通紙または裏紙、および、光沢紙または上質紙が選択される。
【０１３８】
【表２】
2005348171.tif 000004
【０１３９】
あるいは、表３のように、処理モードおよびデータ形式のみが設定されるようにしてもよい。表３は、載置基準Ｍ１〜Ｍ４と、各載置基準に対して設定されている処理モードおよび画像が変換されるデータ形式との関係を示した表である。この場合、載置基準Ｍ１、載置基準Ｍ２、載置基準Ｍ３、および載置基準Ｍ４が選択されたときには、それぞれ、ＡＣＳ、フルカラー画像、モノクロ画像、および２色カラーの処理モードが選択される。また、データ形式として、それぞれ、ＡＵＴＯ、ＪＰＥＧ、ＴＩＦＦ、およびＴＩＦＦが選択される。
【０１４０】
【表３】
2005348171.tif 000005
【０１４１】
あるいは、表４のように、処理モードのみが設定されるようにしてもよい。表４は、載置基準Ｍ１〜Ｍ４と、各載置基準に対して設定されている処理モードとの関係を示した表である。この場合、載置基準Ｍ１、載置基準Ｍ２、載置基準Ｍ３、および載置基準Ｍ４が選択されたときには、それぞれ、ＡＣＳ、フルカラー画像、モノクロ画像、および２色カラー画像の処理モードが選択される。
【０１４２】
【表４】
2005348171.tif 000006
【０１４３】
さらに、図３に示されるように、原稿台１１０に載置される多様なサイズの原稿を検出可能な構成としてもよい。この場合、原稿検出部１３０が原稿サイズを検出可能な構造とし、検出結果に基づいて、制御部５０は、適切なサイズのシートを選択する。これにより、原稿のサイズに適したシートのサイズの選択を、画像の種類に応じた載置位置を選択することにより実行することができる。
【０１４４】
これにより、給紙トレイ４０から、原稿検出部１３０による原稿のサイズの検出結果に基づいて、シートのサイズが選択されるため、ユーザは操作部３０にシートのサイズを入力するなどの処理を行う必要が無く、原稿のサイズに適したシートが供給される。
【０１４５】
また上記においては、各載置基準に対して設定された処理モードに基づいて、複写処理が行われるとした。しかしながら、これに限定されるものではなく、例えば各載置基準に対して設定された処理モードに加え、さらに、ユーザの手動の操作によりその他の処理モードを設定するようにしてもよい。すなわち、ユーザが操作パネルＰのキーを操作することにより、部数設定、フィニッシャーの設定、とじしろ設定などの内容を含む処理モードを設定するような構成としてもよい。
【０１４６】
この場合、まずユーザは、原稿を、原稿台ガラス１１１（プラテン）上における複数色の（カラーモード）画像の処理モードが設定されている載置基準Ｍに合わせて配置し、操作パネルＰのキーを用いてマルチショット、表紙など特別機能を選択しステープル処理の設定を行う。ユーザがスタートボタンＫ５を押下の後、カラーモード画像の処理モードで複写処理が行われ、ステープルの後処理後、排紙トレイに排出される。
【０１４７】
これにより、載置基準Ｍに対して設定されている処理モードが含む内容に加え、さらにユーザの意図を詳細に反映した複写処理を行うことができる。
【０１４８】
また、上記においては、画像形成装置を複写機１００としている。しかしながら、これに限らず、例えばプリンター等の装置としてもよい。
【０１４９】
本発明は、上述した実施の形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【産業上の利用可能性】
【０１５０】
本発明の画像読取装置および画像形成装置は、複写機、ＦＡＸ、スキャナなど、原稿の画像を読取り、出力するさまざまな装置に適用できる。
【図面の簡単な説明】
【０１５１】
【図１】本発明の実施の一形態を示すもので、原稿台に設けられた複数の載置基準と、各載置基準に応じて処理が設定されている状態を示す画像形成装置の上面部（自動原稿搬送装置を除く）の平面図である。
【図２】図１の画像形成装置を示すもので、原稿台に、各載置基準に応じて設定されている処理を記した状態を示す画像形成装置の上面部（自動原稿搬送装置を除く）の平面図である。
【図３】図１の画像形成装置を示すもので、多様なサイズの原稿が原稿台に載置される状態を示す画像形成装置の上面部（自動原稿搬送装置を除く）の平面図である。
【図４】図１の画像形成装置における画像形成の手順を示すフローチャートである。
【図５】図１の画像形成装置の画像読取装置に搭載された検出手段を構成する各検出器の配置を示す正面図である。
【図６】図５に示す検出手段を構成する検出器である多光点センサの検出動作を示す斜視図である。
【図７】図１の画像形成装置における制御系の構成を示すブロック図である。
【図８】図１の画像形成装置に備えられた画像読取装置の電気的構成を示すブロック図である。
【図９】図１の画像形成装置の構成を示す正面断面図である。
【図１０】図１の画像形成装置における操作部の構成を示す正面図である。
【符号の説明】
【０１５２】
１００    複写機（画像形成装置）
１１０    原稿台
１０      画像読取部（読取手段）
２０      画像形成部（画像形成手段）
３０      操作部
４０      給紙トレイ
５０      制御部（制御手段）
１２０    第１の走査ユニット（移動部）
１３０    原稿検出部（検出手段）
３０１    画像処理部（画像処理手段）
３０２    メモリ（記憶手段）
【図１】
2005348171.tif 000007
【図２】
2005348171.tif 000008
【図３】
2005348171.tif 000009
【図４】
2005348171.tif 000010
【図５】
2005348171.tif 000011
【図６】
2005348171.tif 000012
【図７】
2005348171.tif 000013
【図８】
2005348171.tif 000014
【図９】
2005348171.tif 000015
【図１０】
2005348171.tif 000016